(57)【特許請求の範囲】
【請求項１】
電子機器に接続されるケーブルが貫通する筒状の磁性体コアを筒の軸方向に２分割してなる一対のコア片と、これらのコア片のそれぞれを収納用凹部に収納してなり、内部を前記ケーブルが貫通する状態にて前記一対のコア片が筒体を形成するように相互に対向接触可能に結合された一対のホルダー分割体とを備えたノイズ吸収装置において、
前記一対のコア片とこれを収納している前記一対のホルダー分割体との間にそれぞれ、前記コア片に対して前記ホルダ分割体の開口縁から僅かに突出させるような弾性力を付与するバネ部としての、前記コア片の長手方向に延びる単一の帯状本体を備えた弾性片を前記ホルダー分割体とは別体にして介在させて、
前記一対のホルダー分割体が対向接触させられたとき、前記一対のコア片が前記弾性片の弾性力により相互に圧接されるようにし、しかも前記コア片に前記弾性片を係合させた組立て体を前記ホルダ分割体の長手方向両端に設けた弾性片係合穴に係合して前記ホルダー分割体からの脱落を防止するようにしたものであり、
前記弾性片は、前記帯状本体に加えて、前記帯状本体の両端に形成され、前記弾性片係合穴に係合する対の底部端と、前記対の底部端から上方に延び、前記帯状本体と協働して前記コア片に対してその外周と内周から挟むように係合する対の係合部とを備えており、
前記対の底部端間の長さは、前記ホルダ分割体の長手方向の内のり寸法よりも大であり、
前記対の係合部は、根元から上端に向かうにつれて互いの間隔が次第に狭まっていることを特徴とするノイズ吸収装置。
【請求項２】
前記一対のホルダー分割体はそれぞれ、長手方向両端に前記ケーブルを挟持することのできる半楕円形状を呈する切り欠き部を有し、前記一対のホルダー分割体が内部を前記ケーブルが貫通する状態にて相互に結合されたときに、互いに対向する前記切り欠き部は、楕円形を形成することで協働して該ケーブルを押圧保持することを特徴とする請求項１に記載のノイズ吸収装置。
【発明の詳細な説明】
【０００１】
【産業上の利用分野】
本発明は電子機器に接続されるケーブルからの誘導雑音を防止する円筒状の磁性体コアを有するノイズ吸収装置に関する。
【０００２】
【従来の技術】
従来、電子機器相互間を接続する信号ケーブルあるいは電源ケーブルからの輻射雑音や誘導雑音を防止するために、これらのケーブルに分割型円筒状磁性体コアを内部に収納したコアホルダーからなるノイズ吸収装置が用いられている。このような分割型円筒状磁性体コアはケーブルが貫通する円筒状の磁性体コアを円筒の軸方向に２分割してなる一対のコア片から構成され、コアホルダーはこれらの一対のコア片を収納しこれらによりケーブルを締め付け保持するように構成されている。コアホルダーは弾力性を有するナイロンのような絶縁材により形成されている。
【０００３】
図１１はこのような従来のノイズ吸収装置の一例を示す分解斜視図である。図において、コアホルダー１０は一対の収納用凹部を有するホルダー分割体１１、１２からなり、各ホルダー分割体１１、１２は一対のコア片２０（図では一方のみ示す）を断面半円形の凹部内面２１が上方を向くようにして収納している。一対のコア片２０は円筒状の磁性体コアを円筒の軸方向に２分割して構成されている。ホルダー分割体１１、１２はこれらのコア片２０の縁部２３が外部に露出するように収納できる形と大きさを有している。ホルダー分割体１１、１２はその長手方向の開口縁２４の一方においてヒンジ部１９により折り曲げ可能に一体結合され、長手方向の両端にはコア片２０の凹部内面２１の形状に合わせた半円形の切欠き部１３が形成されている。
【０００４】
一方のホルダー分割体１２の側壁には２つの係止爪１４が突設され、他方のホルダー分割体１１の側壁には係止爪１４に対応する２つの係止部１５が突設されている。ホルダー分割体１１、１２の内壁には半円形の切欠き部１３のわずか下側の部分に突片１６が設けられている。この突片１６にはその上面が半円形の切欠き部１３に向かって上昇する傾斜面が形成され、コア片２０の端面が突片１６に接触摺動してホルダー分割体１１、１２に容易に収納されるように構成されている。ホルダー分割体１１、１２の底部にはコ字状の切欠きにより一部が内方に突出する２個の片持ちばね１７（図１１では１個のみ示す）が設けられている。
【０００５】
このようなホルダーにおいては、一対の各ホルダー分割体１１、１２にコア片２０を収納し、コア片２０の凹部内面２１および半円形の切欠き部１３に信号ケーブルあるいは電源ケーブル（図示せず）を貫通させ、ホルダー分割体１１、１２の開口面を突き合わせるようにして係止部１５を係止爪１４に係合して固定する。
【０００６】
図１２はコアホルダーの組み立て後の状態を示す縦断面図である。信号ケーブルあるいは電源ケーブルは省略されているが、図から明らかなように、突片１６がコア片２０の端面に当接することによりこれをホルダー分割体１１、１２に固定しており、４個の片持ちばね１７が共働して一対のコア片２０を相互に密着させている。
【０００７】
【発明が解決しようとする課題】
上述の従来のノイズ吸収装置のホルダーにおいては、コア片２０を突片１６により確実に固定するためにはコア片２０の軸方向の長さ寸法を精度よく仕上げる必要がある。この長さ寸法の精度を緩和する手段として、図１１に一点鎖線で示すように、ホルダー分割体１１、１２に突片１６を挟むようにして縦溝１８を形成する方法も試みられている。さらに、コア片２０の仕上がり寸法を緩和する手段として、同じく図１１に示すように、コア片２０の凹部内面２１の両端に突片１６を遊嵌可能な係合凹部２２を形成する事も行われていた。
【０００８】
しかし、突片１６の大きさは、コア片２０を挟持する力が片持ちばね１７の押圧力より小さくなるように設定するとともに、コア片２０をホルダー分割体１１、１２に収納し易いように小型に設定しなければならない。このため、コア片２０をホルダー分割体１１、１２に挿入する際に、突片１６が挿入時の押圧力に抗しきれずに欠損することがあった。さらにホルダーは突片１６および片持ちばね１７を備えているため、構造的に複雑になり、成型不良（ショートモールド）を生ずることがあり、金型あるいは製品の価格が高くなるという欠点があった。
【０００９】
したがって本発明は従来装置の上記欠点を改善し、構造が簡単で製造組立て時あるいは使用時においても破損を生じない、強固な構造のホルダーからなるノイズ吸収装置を提供することを目的とするものである。
【００１２】
【課題を解決するための手段】
本発明によれば、電子機器に接続されるケーブルが貫通する筒状の磁性体コアを筒の軸方向に２分割してなる一対のコア片と、これらのコア片のそれぞれを収納用凹部に収納してなり、内部を前記ケーブルが貫通する状態にて前記一対のコア片が筒体を形成するように相互に対向接触可能に結合された一対のホルダー分割体とを備えたノイズ吸収装置において、前記一対のコア片とこれを収納している前記一対のホルダー分割体との間にそれぞれ、前記コア片に対して前記ホルダ分割体の開口縁から僅かに突出させるような弾性力を付与するバネ部としての、前記コア片の長手方向に延びる単一の帯状本体を備えた弾性片を前記ホルダー分割体とは別体にして介在させて、前記一対のホルダー分割体が対向接触させられたとき、前記一対のコア片が前記弾性片の弾性力により相互に圧接されるようにし、しかも前記コア片に前記弾性片を係合させた組立て体を前記ホルダ分割体の長手方向両端に設けた弾性片係合穴に係合して前記ホルダー分割体からの脱落を防止するようにしたものであり、前記弾性片は、前記帯状本体に加えて、前記帯状本体の両端に形成され、前記弾性片係合穴に係合する対の底部端と、前記対の底部端から上方に延び、前記帯状本体と協働して前記コア片に対してその外周と内周から挟むように係合する対の係合部とを備えており、前記対の底部端間の長さは、前記ホルダ分割体の長手方向の内のり寸法よりも大であり、前記対の係合部は、根元から上端に向かうにつれて互いの間隔が次第に狭まっていることを特徴とするノイズ吸収装置が得られる。
【００１４】
前記一対のホルダー分割体はそれぞれ、長手方向両端に前記ケーブルを挟持することのできる半楕円形状を呈する切り欠き部を有し、前記一対のホルダー分割体が内部を前記ケーブルが貫通する状態にて相互に結合されたときに、互いに対向する前記切り欠き部は、楕円形を形成することで協働して該ケーブルを押圧保持するものであってもよい。
【００１５】
【作用】
上記のような本発明のノイズ吸収装置のホルダー構造によれば、コア片とホルダー分割体の間に介在された弾性片により、一対のホルダー分割体が対向接触させられたとき、一対のコア片が相互に圧接固定される。一方、一対のホルダー分割体が開かれたときのコア片の落下が防止される。
【００１６】
【実施例】
以下、本発明の実施例について図面を用いて説明する。図１は本発明のノイズ吸収装置の一実施例を示す分解斜視図である。図１において、コアホルダー１０は図１１に示した従来装置と同様に、絶縁樹脂製の一対の収納用凹部を有するホルダー分割体１１、１２からなり、各ホルダー分割体１１、１２は一対のコア片２０（図では一方のみ示す）を断面半円形の凹部内面２１が上方を向くようにして収納している。一対のコア片２０は円筒状の磁性体コアを円筒の軸方向に２分割して構成されている。ホルダー分割体１１、１２はこれらのコア片２０の縁部２３が外部に露出するように収納できる形と大きさを有している。ホルダー分割体１１、１２は有底筒体をその軸方向に２分割した形態に構成され、その軸方向の開口縁２４の一方においてヒンジ部１９により折り曲げ可能に一体結合され、長手方向の両端にはコア片２０の凹部内面２１の形状に合わせた半円形の切欠き部１３が形成されている。一方のホルダー分割体１２の側壁には２つの係止爪１４が突設され、他方のホルダー分割体１１の側壁には係止爪１４に対応する２つの係止部１５が突設されている。
【００１７】
また、コア片２０には、例えばプラスチックやゴム製あるいは金属製、更には発泡体による弾性片３１が取り付けられる。弾性片３１は、帯状本体３２と、その両側において上方に折り曲がり、かつこの折曲がり部分の上端部が直角に内側に折曲がった係合片３３とした係合部とから構成されている。帯状本体３２は、コア片２０の軸方向長さと同じか若干長い長さを有し、弾性を付与するために弓状に上方に湾曲されてバネ板として作用する。
【００１８】
弾性片３１はその両端の係合部がコア片２０の両端部に係合するように装着され、この状態では係合片３３がコア片２０の両端部の内周側に形成された係合凹部２２に係合されることにより、コア片２０の両端部をその内周と外周から挟むように係合している。
【００１９】
コア片２０に弾性片３１を取り付けた組立て体をホルダ分割体１１、１２の収納用凹部内に圧入する。この時、弾性片３１は、ホルダー分割体１１、１２の収納用凹部内に長手方向になるように配置される。
【００２０】
そして、弾性片３１は、その弓状に湾曲された帯状本体３２によりコア片２０をホルダー分割体１１、１２の外方へ押し上げるような、即ち、コア片２０がホルダー分割体１１、１２の開放縁から僅かに突出するような弾性力を付与する。これにより、ホルダー分割体１１、１２がヒンジ部１９により相互に対向接触された場合に、一対のコア片２０が互いに圧接されるように作用する。
【００２１】
尚、弾性片３１における両側の係合部は、図１から明らかなように、これらの根元側の間隔よりも上端側の間隔の方が僅かに大きくなるようにして両側に拡がるようにしているが、これは弾性片３１の両側の係合部にもバネ性を持たせるためである。ここで、コア片２０は、図３に示すように、ホルダー分割体１１、１２の収納用凹部よりも小さめにつくられるので、組み立て工程時に、仮に、コア片２０に弾性片３１を取り付けた組立て体の弾性片３１がホルダー分割体１１、１２の収納用凹部に圧入されないのならば、ホルダー分割体を逆さにすると組立て体が落下してしまう。
【００２２】
これに対し、組立て体における弾性片３１の両側の係合部は、収納用凹部内で外側に拡がろうとして収納用凹部の内壁に圧接するので、結果として、組立て工程時にホルダー分割体１１、１２が逆さにされても組立て体が収納用凹部から落下することを防止できる。また、コア片２０に弾性片３１を取り付けた組立て体は、圧入によりホルダー分割体１１、１２の収納用凹部に固定されるので、この圧入の程度を僅かにきつめにすれば、弾性片３１の両側の係合部は帯状本体３２に対して直角であっても良い。
【００２３】
図２は、コア片２０に弾性片３１を取り付けた組立て体をホルダー分割体１１に圧入固定した状態（ホルダー分割体１２側は省略している）を示す側面断面図であり、図３は組み立てられた状態の本発明のノイズ吸収装置の横断面図である。図示のように、コア片２０は弾性片３１により、ホルダー分割体１１、１２の内部に保持されるとともに、ホルダー分割体１１、１２の開口縁から僅かに突出する。そして、図３に示されるように、ホルダー分割体１１、１２がヒンジ部１９を中心として閉じられ、係止爪１４が係止部１５に係合すると、弾性片３１により僅かに突出されたコア片２０は弾性片３１の弾性力に抗して押し下げられる。この押し下げ力に対抗する弾性力により、一対のコア片２０は相互に圧接される。
【００２４】
図７は弾性片の他の実施例を示し、帯状本体３２´の形状を波形にして、図１のような弓状のものよりも大きいバネ性が得られるようにしたものである。
【００２５】
図８は図１に示された弾性片３１の変形例を示し、帯状本体３２の中間部にコア片２０（図１）に嵌入可能な突起３４を設けたものである。この場合、コア片２０の外周側には突起３４の嵌入可能な穴が設けられることは言うまでも無い。
【００２６】
図９は弾性片の更に他の実施例を示し、コア片２０との係合部を帯状本体３５の片側のみに設けた例である。この例では、係合部の外側に波形の突起３６を設けると共に、係合片３７の長さを図１に示された係合片３３の長さよりも長くしている。
【００２７】
図４、図５、図６は、本発明のノイズ吸収装置の他の実施例を示す分解斜視図、部分的な側面断面図、軸方向から見た側面図である。尚、これらの図において、前述の実施例と同一部あるいは同様部には、図１〜図３と同符号を付して説明を省略する。
【００２８】
図４〜図６において、このノイズ吸収装置では、ホルダー分割体１１、１２の長手方向の両端に、コア片２０の凹部内面２１よりも僅かに小さい半楕円形を呈する切欠き部１３が形成されている。ホルダー分割体１１、１２がこのような切欠き部を有することによって、径寸法が一様ではないケーブルを、比較的滑りやすいコア片ではなく、ホルダ分割体で確実に挟持することができる。
【００２９】
さらに、ホルダー分割体１１、１２の長手方向両端、即ち、長手方向の両側壁面には、後述する弾性片６の底部端６２が係合する弾性片係合穴５１が形成されている。
【００３０】
前述の弾性片３１と同様の材質から成る弾性片６０は、帯状本体６１と、その両側の底部端６２と、底部端６２から上方に折り曲げ、かつこの折曲げ部分の上端部を直角に内側に折曲げて係合片６３とした係合部とから構成されている。
【００３１】
弾性片６０の底部端６２は、ホルダー分割体１１、１２の弾性片係合穴５１に係合される。これによって、コア片２０と弾性片６０との組立て体の落下防止と、コア片２０の当接面のずれ防止がなされる。さらに、ホルダー分割体１１、１２内から収容されている組立て体を取り出す際には、開かれた一対のホルダー分割体１１、１２の弾性片係合穴５１にペン先等を挿入して押し出すことで、簡単に分解できる。
【００３２】
尚、弾性片係合穴５１は、弾性片６０の底部端６２が係合され得る形状であればよく、穴形状ではなく、例えば、凹形状であってもよい。
【００３３】
図１０は、図４〜図６に示すノイズ吸収装置に用いる弾性片の他の例を示す。図１０において、この弾性片６０´は、帯状本体６１´の形状が凸形状を呈し、図４の弾性片６０のような弓状のものよりも、大きいバネ性が得られる。
【００３４】
【発明の効果】
以上説明したように、本発明によれば、コア片とホルダー分割体との間に介在させた弾性片により、ホルダー自体に突片や片持ちばねなどの複雑な構造を持たないため、製造組立て時や使用時におけるホルダーの製造不良や破損を防止することができる。
【００３５】
さらに、コアケース長手方向両端に弾性片係合穴を設け、弾性片係合穴に両脚でコアを挟持した弾性片の底部端をそれぞれ係合する構造とすれば、以下のような効果を有する。
【００３６】
上記係合部分の係合が強固であるのでコアケースからのコアの落下が防止され、分割コアの接合面の状態が一定に保たれコアの位置ずれが防止される。このため、ノイズ吸収装置として最も重要なコアの特性低下を防止できる。
【００３７】
係合部分の係合が強固ではあるが、コアケースの長手方向両端には弾性片係合穴が設けられており、ペンなどで弾性片係合穴から弾性片を押圧すれば、コアの取り出しは容易に実現できる。
【００３８】
また、ホルダ分割体の長手方向両端にコア片の筒内面である凹部内面よりも小さい半楕円等の形状を呈する切欠部を持たせれば、様々な径寸法を有するケーブルを、コア片ではなく、ホルダ分割体で確実に保持することができる。
【図面の簡単な説明】
【図１】本発明のノイズ吸収装置の一実施例を示す分解斜視図である。
【図２】図１に示すノイズ吸収装置の仮組立て体をホルダー分割体に圧入固定した状態を図１の線Ａ−Ａに対応する箇所にて示す側断面図である。
【図３】図１に示すノイズ吸収装置の組み立てられた状態を図１の線Ｂ−Ｂに対応する箇所にて示す横断面図である。
【図４】本発明のノイズ吸収装置の他の実施例を示す分解斜視図である。
【図５】図４に示すノイズ吸収装置の仮組立て体をホルダー分割体に圧入固定した状態を図４の線Ａ−Ａに対応する箇所にて示す部分的な側断面図である。
【図６】図４に示すノイズ吸収装置の組み立てられた状態を軸方向から見た側面図である。
【図７】図１に示すノイズ吸収装置に使用される弾性片の他の例を示した図である。
【図８】図１に示すノイズ吸収装置に使用される弾性片の図１の変形例を示した図である。
【図９】図１に示すノイズ吸収装置に使用される弾性片の更に他の例を示した図である。
【図１０】図４に示すノイズ吸収装置に使用される弾性片の他の例を示した図である。
【図１１】従来のノイズ吸収装置の一例を示す分解斜視図である。
【図１２】従来のノイズ吸収装置の使用状態を図４の線Ａ´−Ａ´に対応する箇所にて示す側断面図である。
【符号の説明】
１１、１２  ホルダー分割体
１４  係止爪
１５  係止部
１９  ヒンジ部
２０  コア片
３１、６０  弾性片
３２、６１  帯状本体
６２  底部端
３３、６３  係合片
【図１】
0003654304.tif 000002
【図２】
0003654304.tif 000003
【図３】
0003654304.tif 000004
【図４】
0003654304.tif 000005
【図５】
0003654304.tif 000006
【図６】
0003654304.tif 000007
【図７】
0003654304.tif 000008
【図８】
0003654304.tif 000009
【図９】
0003654304.tif 000010
【図１０】
0003654304.tif 000011
【図１１】
0003654304.tif 000012
【図１２】
0003654304.tif 000013